(57)【特許請求の範囲】
【請求項１】
インターネットプロトコル（ＩＰ）マルチメディアサブシステム（ＩＭＳ）ネットワーク（１１２）において動作可能であるネットワークノード（１１４−Ｎ）であって、
該ネットワークノードは、
被呼側へ導かれる呼に関してユーザ機器（ＵＥ）装置（３０２）から受信されるマッピングであって、インターネットプロトコルマルチメディアルーティング番号「ＩＭＲＮ」と該被呼側のＳｅｓｓｉｏｎ  Ｉｎｉｔｉａｔｉｏｎ  Ｐｒｏｔｏｃｏｌ（ＳＩＰ）Ｕｎｉｆｏｒｍ  Ｒｅｓｏｕｒｃｅ  Ｉｎｄｉｃａｔｏｒ（ＵＲＩ）との間のマッピングを維持するように構成されているコンポーネント（１２６）と、
該マッピングに基づいて該被呼側との該呼を確立するために、該ＩＭＲＮが該ネットワークノード（１１４−Ｎ）によって該ＵＥ装置から受信し戻される場合に、該ＩＭＲＮが有効のままであることを検証するように構成されているコンポーネント（１２６）と
を含む、ネットワークノード。
【請求項２】
前記ＳＩＰ  ＵＲＩが、Ｕｎｓｔｒｕｃｔｕｒｅｄ  Ｓｕｐｐｌｅｍｅｎｔａｒｙ  Ｓｅｒｖｉｃｅ  Ｄａｔａ（ＵＳＳＤ）信号伝達を介して受信される、請求項１に記載のネットワークノード（１１４−Ｎ）。
【請求項３】
後での使用のために、ＩＭＲＮのプールに前記ＩＭＲＮを開放した後に、一定の期間の間使用することが可能でないものとして該ＩＭＲＮを割り当てるように構成されているコンポーネント（１２６）をさらに含む、請求項１または請求項２に記載のネットワークノード（１１４−Ｎ）。
【請求項４】
前記ＩＭＲＮが、Ｅ．１６４番号を含む、請求項１、請求項２または請求項３に記載のネットワークノード（１１４−Ｎ）。
【請求項５】
前記ＩＭＲＮが、Ｅ．１６４番号の範囲から選択される、請求項１、請求項２または請求項３に記載のネットワークノード（１１４−Ｎ）。
【請求項６】
回路交換（ＣＳ）ネットワークおよびインターネットプロトコル（ＩＰ）マルチメディアサブシステム（ＩＭＳ）ネットワーク（１１２）を含むネットワーク環境（１００）において呼を達成するための方法であって、
該方法は、
被呼側へ導かれる呼に関してユーザ機器（ＵＥ）装置（３０２）から受信されるマッピングであって、インターネットプロトコルマルチメディアルーティング番号「ＩＭＲＮ」と該被呼側のＳｅｓｓｉｏｎ  Ｉｎｉｔｉａｔｉｏｎ  Ｐｒｏｔｏｃｏｌ（ＳＩＰ）Ｕｎｉｆｏｒｍ  Ｒｅｓｏｕｒｃｅ  Ｉｎｄｉｃａｔｏｒ（ＵＲＩ）との間のマッピングをネットワークノード（１１４−Ｎ）において生成することと、
該ＩＭＲＮが該ネットワークノード（１１４−Ｎ）によって該ＵＥ装置から受信し戻される場合に、該ＩＭＲＮが有効のままであることを検証することと、
該マッピングに基づいて該被呼側との該呼を確立することと
を含む、方法。
【請求項７】
前記ＳＩＰ  ＵＲＩが、Ｕｎｓｔｒｕｃｔｕｒｅｄ  Ｓｕｐｐｌｅｍｅｎｔａｒｙ  Ｓｅｒｖｉｃｅ  Ｄａｔａ（ＵＳＳＤ）信号伝達を介して受信される、請求項６に記載の方法。
【請求項８】
後での使用のために、ＩＭＲＮのプールに前記ＩＭＲＮを開放した後に、一定の期間の間使用することが可能でないものとして該ＩＭＲＮを割り当てることをさらに含む、請求項６または請求項７に記載の方法。
【請求項９】
前記ＩＭＲＮが、Ｅ．１６４番号を含む、請求項６、請求項７または請求項８に記載の方法。
【請求項１０】
前記ＩＭＲＮが、Ｅ．１６４番号の範囲から選択される、請求項６、請求項７または請求項８に記載の方法。
【請求項１１】
回路交換（ＣＳ）ネットワークおよびインターネットプロトコル（ＩＰ）マルチメディアサブシステム（ＩＭＳ）ネットワーク（１１２）を含むネットワーク環境（１００）において呼を発するように動作可能であるユーザ機器（ＵＥ）装置（３０２）であって、
該ＵＥ装置（３０２）は、
該呼に関連する呼情報を、該ＩＭＳネットワーク（１１２）に配置されたネットワークノード（１１４−Ｎ）に提供するように構成されているコンポーネント（５４８、５０４）であって、該呼情報は、呼参照番号と被呼側のＳＩＰ  Ｕｎｉｆｏｒｍ  Ｒｅｓｏｕｒｃｅ  Ｉｎｄｉｃａｔｏｒ（ＵＲＩ）とを含む、コンポーネントと、
該ネットワークノード（１１４−Ｎ）から受信されるＩＰマルチメディアルーティング番号（ＩＭＲＮ）を処理することと、該ネットワークノード（１１４−Ｎ）から受信し戻される該呼参照番号が有効のままであることを検証することとを実行するように構成されているコンポーネント（５４８、５３３）と、
該ＩＭＲＮを該ネットワークノード（１１４−Ｎ）に提供するように構成されているコンポーネント（５０２、５０４）であって、該ネットワークノード（１１４−Ｎ）において、該被呼側に関して該呼を確立するために、該ＩＭＲＮは、該被呼側のＳＩＰ  Ｕｎｉｆｏｒｍ  Ｒｅｓｏｕｒｃｅ  Ｉｎｄｉｃａｔｏｒ（ＵＲＩ）を取得するように該ネットワークノードによって問い合わせられる、コンポーネント（５０２、５０４）と
を含む、ＵＥ装置。
【請求項１２】
ネットワーク環境（１００）において呼を発するように動作可能である請求項１１に記載のＵＥ装置（３０２）であって、前記呼情報は、Ｓｅｓｓｉｏｎ  Ｉｎｉｔｉａｔｉｏｎ  Ｐｒｏｔｏｃｏｌ（ＳＩＰ）を用いて前記ネットワークノード（１１４−Ｎ）に提供される、ＵＥ装置。
【請求項１３】
ネットワーク環境（１００）において呼を発するように動作可能である請求項１１に記載のＵＥ装置（３０２）であって、前記呼情報は、Ｕｎｓｔｒｕｃｔｕｒｅｄ  Ｓｕｐｐｌｅｍｅｎｔａｒｙ  Ｓｅｒｖｉｃｅ  Ｄａｔａ（ＵＳＳＤ）信号伝達を用いて前記ネットワークノード（１１４−Ｎ）に提供される、ＵＥ装置。
【請求項１４】
回路交換（ＣＳ）ネットワークおよびインターネットプロトコル（ＩＰ）マルチメディアサブシステム（ＩＭＳ）ネットワーク（１１２）を含むネットワーク環境（１００）において呼を発する方法であって、
該方法は、
該呼に関連する呼情報を、ユーザ機器装置から、該ＩＭＳネットワーク（１１２）に配置されたネットワークノード（１１４−Ｎ）に送信することであって、該呼情報は、呼参照番号と被呼側のＳＩＰ  ＵＲＩとを含む、ことと、
ＩＰマルチメディア番号（ＩＭＲＮ）および該呼参照番号を該ネットワークノード（１１４−Ｎ）から受信することと、
該ネットワークノードから受信し戻される該呼参照番号が有効のままであることを検証することと、
該ＩＭＲＮを該ネットワークノード（１１４−Ｎ）に送信することであって、該ネットワークノード（１１４−Ｎ）において、該被呼側に関して該呼を確立するために、該ＩＭＲＮは、該被呼側のＳＩＰ  Ｕｎｉｆｏｒｍ  Ｒｅｓｏｕｒｃｅ  Ｉｎｄｉｃａｔｏｒ（ＵＲＩ）を取得するように該ネットワークノードによって問い合わせられる、ことと
を含む、方法。
【請求項１５】
前記呼情報が、Ｓｅｓｓｉｏｎ  Ｉｎｉｔｉａｔｉｏｎ  Ｐｒｏｔｏｃｏｌ（ＳＩＰ）メッセージを介して前記ネットワークノード（１１４−Ｎ）に送信される、請求項１４に記載の方法。
【請求項１６】
前記呼情報が、Ｕｎｓｔｒｕｃｔｕｒｅｄ  Ｓｕｐｐｌｅｍｅｎｔａｒｙ  Ｓｅｒｖｉｃｅ  Ｄａｔａ（ＵＳＳＤ）メッセージを介して前記ネットワークノード（１１４−Ｎ）に送信される、請求項１４に記載の方法。
【請求項１７】
前記ＩＭＲＮを前記ＵＥ装置（３０２）に送信するように構成されているコンポーネントをさらに含む、請求項１に記載のネットワークノード（１１４−Ｎ）。
【請求項１８】
前記ＩＭＲＮが動的に割り当てられる、請求項１に記載のネットワークノード（１１４−Ｎ）。
【請求項１９】
前記ＩＭＲＮを前記ＵＥ装置（３０２）に送信することをさらに含む、請求項６に記載の方法。
【請求項２０】
前記ＩＭＲＮが動的に割り当てられる、請求項６に記載の方法。
【発明の詳細な説明】
【技術分野】
【０００１】
（優先権および関連出願の参照）
本出願は、「ＳＹＳＴＥＭ  ＡＮＤ  ＭＥＴＨＯＤ  ＦＯＲ  ＭＡＮＡＧＩＮＧ  ＣＡＬＬ  ＲＯＵＴＩＮＧ  ＩＮ  Ａ  ＮＥＴＷＯＲＫ  ＥＮＶＩＲＯＮＭＥＮＴ  ＩＮＣＬＵＤＩＮＧ  ＩＭＳ」と題された、米国特許出願の一部継続（ＣＩＰ）出願であり、その優先権を主張する（（代理人管理番号１４００−１０５９ＵＳ：ＲＩＭ番号：３０６８３−ＵＳ−ＰＡＴ）、出願番号        、２００６年１月１０日出願）。当該出願は、参照により援用される。
【０００２】
（本開示の技術分野）
本特許開示は一般に、通信ネットワークにおける呼のルーティングに関する。いかなる限定を意図するわけではないが、より詳細には、本開示は、回路交換（ＣＳ）ネットワークおよびＩＰマルチメディアサブシステム（ＩＭＳ）ネットワークを含むネットワーク環境における呼のルーティングを管理するシステムおよび方法に関し、ここで、ＣＳから発信されるＩＰ呼（例えば、Ｓｅｓｓｉｏｎ  Ｉｎｉｔｉａｔｉｏｎ  Ｐｒｏｔｏｃｏｌ、すなわちＳＩＰに基づく）はＩＭＳネットワークインフラストラクチャを用いてルーティングされる。
【背景技術】
【０００３】
現代の最新式通信装置は、パケット交換ＩＰネットワークドメイン（例えば、無線ＬＡＮ（ＷＬＡＮ）またはＷｉ−ＭＡＸネットワークなどを用いる）、および回路交換セル式ネットワークドメインにおいてシームレスに動作することが可能である。そのような性能を容易にするために、現在の第３世代パートナーシッププロジェクト（３ＧＰＰ）規格は、いずれかのドメインを用いて、ＩＰのみの加入者および従来の回路交換電話加入者の両方に対して、通信装置（ユーザ機器すなわちＵＥと呼ばれる）に呼を開始することを可能にする、ＩＰマルチメディアサブシステム（ＩＭＳ）と呼ばれる新しいＩＰベースネットワークアーキテクチャの仕様を定めている。しかしながら、無線装置、すなわち、３ＧＰＰにおけるＵＥ装置は、パケット交換ネットワークが利用可能でないか、または、パケット交換ドメインにおいて利用可能であるネットワークがＶｏｉｃｅ−ｏｖｅｒ−ＩＰ（ＶｏＩＰ）サービスをサポートしないかのいずれかのために、回路交換ネットワークドメインのみを用いて音声呼を被呼側にすることが可能である状況が存在し得る。そのような状況において、被呼側がＩＰのみの加入者であり、Ｕｎｉｆｏｒｍ  Ｒｅｓｏｕｒｃｅ  Ｉｎｄｉｃａｔｏｒ（ＵＲＩ）で識別する場合、発信側のＵＥは、ＩＰベースの呼をなすことが不可能であり得る。なぜならば、ＵＥ装置は、回路交換ドメインにおいて動作する一方で、Ｅ．１６４番号ベースの呼のみを達成することができるからである。
【発明の開示】
【課題を解決するための手段】
【０００４】
本特許開示は、概して、ＣＳネットワークとＩＭＳネットワークとを含んでいるネットワーク環境において、例えば、Ｓｅｓｓｉｏｎ  Ｉｎｉｔｉａｔｉｏｎ  Ｐｒｏｔｏｃｏｌ（ＳＩＰ）ベースの呼などの、ＩＰ呼をルーティングするためのスキームを対象としている。ＳＩＰ呼がＣＳドメインにおいてＵＥ装置によって発せられたとき、その呼に関連した呼情報（被呼側のＳＩＰ  ＵＲＩを含む）が、ＩＭＳネットワークに配置されたアプリケーションサーバ（ＡＳ）ノードに提供される。ＡＳノードおいて、Ｅ．１６４番号のプールは、被呼側ＳＩＰ  ＵＲＩへとマッピングされるように構成可能であるかそれ以外の態様で被呼側ＳＩＰ  ＵＲＩに関連しているＩＰマルチメディアルーティング番号（ＩＭＲＮ）として維持されている。ＡＳノードは、ＵＥ装置から受け取られた被呼側ＳＩＰ  ＵＲＩに関して選択ＩＭＲＮを動的に割り当て、それをＵＥ装置に戻す。次いで、その動的に割り当てられたＩＭＲＮは、ＳＩＰ  ＵＲＩ−ＩＭＲＮマッピングを問い合わせた後、被呼側に対するＳＩＰ呼のルーティングに利用される。その後、動的に割り当てられたＩＭＲＮは、後での使用のために、ＩＭＲＮのプールに戻され得る。呼に関連した呼参照番号が依然として有効であるか（例えば、タイムアウトしていない）、動的に割り当てられたＩＭＲＮが依然として有効であるか（例えば、タイムアウトしていない）が確認され得るように、適切なタイマーがその装置およびＡＳノードエンドポイントにおいて提供され得る。オプションとして、その開放されたＩＭＲＮは、一期間、隔離され得る。
【０００５】
一局面において、ＣＳネットワークとＩＭＳネットワークとを含んでいるネットワーク環境においてＳＩＰ呼をルーティングする方法であって、該ＳＩＰ呼は、該ＣＳネットワークドメインにおいて、ＵＥ装置によって、ＳＩＰ  ＵＲＩを有する被呼側へと発せられ、該方法は、該ＵＥ装置からの該呼に関連した呼情報を該ＩＭＳネットワークに配置されたＡＳネットワークへと提供することと；該ＡＳネットワークノードにおいて、ＩＭＲＮのプールから選択されたＩＭＲＮを動的に割り当てることであって、該動的に割り当てられたＩＭＲＮは、該被呼側のＳＩＰ  ＵＲＩにマッピングされる、ことと；該ＡＳノードから該ＵＥ装置へと、該動的に割り当てられたＩＭＲＮを提供することと；該被呼側への該ＳＩＰ呼をルーティングするために、該動的に割り当てられたＩＭＲＮを利用することと；のうちの少なくとも１つまたはそれ以上を含んでいる、方法が開示される。
【０００６】
別の局面では、ＣＳネットワークとＩＭＳネットワークとを含んでいるネットワーク環境においてＳＩＰ呼を発するように動作可能なＵＥ装置であって、該呼は、ＳＩＰ  ＵＲＩを有する被呼側へと向けられており、該装置は、該ＳＩＰ呼に関連した呼情報を該ＩＭＳネットワークに配置されたＡＳノードに提供する手段であって、該呼情報は呼参照番号および被呼側のＳＩＰ  ＵＲＩのうちの少なくとも一つを含んでいる、手段と；ＡＳネットワークノードから、動的に割り当てられたＩＭＲＮであって、ＩＭＲＮのプールから選択され、該被呼側のＳＩＰ  ＵＲＩへとマッピングされる、動的に割り当てられたＩＭＲＮを受け取ることに応答して、該呼参照番号が依然として有効である（例えば、タイムアウトしていない）ことを確認する手段と；該呼参照番号が有効であることを確認することに応答して、該ＩＭＲＮ−ＳＩＰ  ＵＲＩマッピングに基づいて、該被呼側に関してＳＩＰセッションを容易にするために、該ＡＳノードに該動的なＩＭＲＮを提供する手段と；のうちの少なくとも１つまたはそれ以上を備えている、装置が本明細書で開示される。
【０００７】
さらに別の局面では、ＩＭＳネットワークに配置されるように適合されているＡＳノードであって、複数のＳＩＰ  ＵＲＩにマッピングされるように構成され得るＩＭＲＮのプールを維持する手段であって、選択ＩＭＲＮが、回路交換ネットワークドメインにおいて発せられたＳＩＰ呼に関してＵＥ装置から受け取られた被呼側のＳＩＰ  ＵＲＩへと動的に割り当て可能である、手段と；ＵＥ装置から受け取られた該被呼側のＳＩＰ  ＵＲＩへと該選択ＩＭＲＮを動的に割り当て、該ＵＥ装置に該選択ＩＭＲＮを提供する手段と；該被呼側に関してＳＩＰセッションを実施するために、該選択ＩＭＲＮが該ＡＳノードへと戻されたときにおいて該選択ＩＭＲＮが依然として有効である（例えば、タイムアウトしていない）ことを確認する手段と；のうちの少なくとも１つまたはそれ以上を備えている、ＡＳノードが本明細書で開示される。
【０００８】
さらなる局面において、ＳＩＰ呼に関連する呼情報を、ＩＭＳネットワーク部に配置されたＡＳノードに提供することであって、該呼情報は、とりわけ呼参照番号を含む、ことと；該呼参照番号が依然として有効であることを確証することであって、該確証することは、ＡＳノードから、動的に割り当てられたＩＭＲＮを受信することに応答し、該動的に割り当てられたＩＭＲＮは、ＩＭＲＮのプールから選択され、該呼情報の少なくとも一部にマッピングされる、ことと；該呼参照番号が有効であることを確証することに応答して、該呼情報を用いる該被呼側に関して、ＳＩＰセッションを容易にするために、該動的ＩＭＲＮを該ＡＳノードに提供することと；のうちの少なくとも一つを包含する、ＵＥ装置を用いて動作可能である方法が開示される。
【０００９】
さらなる局面において、ＩＭＲＮのプールを維持することであって、選択ＩＭＲＮは、回路交換ネットワークドメインにおいて発せられるＳＩＰ呼に関して、ＵＥ装置から受信された呼情報にマッピングされる、ことと；該選択ＩＭＲＮを該ＵＥ装置に提供することと；該選択ＩＭＲＮが該ＡＳノードに戻された場合に、該選択ＩＭＲＮが依然として有効であることを確証した後、該呼情報に基づいて該被呼側とのＳＩＰセッションを確立することと；のうちの少なくとも一つを包含する、ＡＳノードを用いて動作可能である方法が開示される。
【００１０】
本発明はさらに、以下の手段を提供する。
【００１１】
（項目１）
回路交換（ＣＳ）ネットワークおよびインターネットプロトコル（ＩＰ）マルチメディアサブシステム（ＩＭＳ）ネットワーク（１１２）を含むネットワーク環境（１００）において、ＳＩＰ呼を発するように動作可能であるユーザ機器（ＵＥ）装置（３０２）であって、該呼は、ＳＩＰ  Ｕｎｉｆｏｒｍ  Ｒｅｓｏｕｒｃｅ  Ｉｎｄｉｃａｔｏｒ（ＵＲＩ）を有する被呼側に導かれ、該ＵＥ装置（３０２）は、
該ＩＭＳネットワーク（１１２）に配置されたアプリケーションサーバノードであるＡＳノード（１１４−Ｎ）から、動的に割り当てられたＩＰマルチメディアルーティング番号（ＩＭＲＮ）を受信することであって、ここで、該動的に割り当てられたＩＭＲＮは、ＩＭＲＮのプールから選択され、該被呼側のＳＩＰ  ＵＲＩにマッピングされている、ことに応答して、該ＡＳノード（１１４−１）から戻される呼参照番号が有効のままであることを確証する手段（５４８、５３３）と、
該呼参照番号が有効であることを確証することに応答して、該動的に割り当てられたＩＭＲＮを用いて該被呼側に関して、ＳＩＰセッションを容易にするために、該動的ＩＭＲＮを該ＡＳノード（１１４−Ｎ）に提供する手段（５０２、５０４）と
を備える、ＵＥ装置（３０２）。
【００１２】
（項目２）
上記手段（５０２、５０４）は、Ｓｅｓｓｉｏｎ  Ｉｎｉｔｉａｔｉｏｎ  Ｐｒｏｔｏｃｏｌ（ＳＩＰ）を用いる上記ＡＳノード（１１４−Ｎ）に対して、上記呼情報を含むメッセージを生成する手段をさらに備える、項目１に記載のネットワーク環境（１００）においてＳＩＰ呼を発するように動作可能であるＵＥ装置（３０２）。
【００１３】
（項目３）
上記手段（５０２、５０４）は、Ｕｎｓｔｒｕｃｔｕｒｅｄ  Ｓｕｐｐｌｅｍｅｎｔａｒｙ  Ｓｅｒｖｉｃｅ  Ｄａｔａ（ＵＳＳＤ）を用いる上記ＡＳノード（１１４−Ｎ）に対して、上記呼情報を含むメッセージを生成する手段をさらに備える、項目１に記載のネットワーク環境（１００）においてＳＩＰ呼を発するように動作可能であるＵＥ装置（３０２）。
【００１４】
（項目４）
インターネットプロトコル（ＩＰ）マルチメディアサブシステム（ＩＭＳ）ネットワーク（１１２）に配置されるように適合されているアプリケーションサーバ（ＡＳ）ノード（１１４−Ｎ）であって、
複数のＳｅｓｓｉｏｎ  Ｉｎｉｔｉａｔｉｏｎ  Ｐｒｏｔｏｃｏｌ（ＳＩＰ）Ｕｎｉｆｏｒｍ  Ｒｅｓｏｕｒｃｅ  Ｉｎｄｉｃａｔｏｒｓ（ＵＲＩ）に対して構成可能なようにマッピングされているＩＰマルチメディアルーティング番号（ＩＭＲＮ）のプールを維持する手段（１２２）であって、選択ＩＭＲＮは、回路交換ネットワークドメインにおい発せられるＳＩＰ呼に関して、ユーザ機器（ＵＥ）装置（３０２）から受信される被呼側のＳＩＰ  ＵＲＩに動的に割り当て可能である、手段（１２２）と、
該選択ＩＭＲＮを、該ＵＥ装置（３０２）から受信された該被呼側のＳＩＰ  ＵＲＩに動的に割り当て、かつ該選択ＩＭＲＮを該ＵＥ装置（３０２）に提供する手段（１２６）と、
該被呼側に関して、ＳＩＰセッションを達成するために、該選択ＩＭＲＮが該ＡＳノード（１１４−Ｎ）に戻される場合に、該選択ＩＭＲＮが有効のままであることを確証する手段（１２４）と
を備える、ＡＳノード（１１４−Ｎ）。
【００１５】
（項目５）
上記選択ＩＭＲＮは、Ｓｅｓｓｉｏｎ  Ｉｎｉｔｉａｔｉｏｎ  Ｐｒｏｔｏｃｏｌ（ＳＩＰ）メッセージを用いる上記ＵＥ装置（３０２）に提供される、項目４に記載のＡＳノード（１１４−Ｎ）。
【００１６】
（項目６）
上記選択ＩＭＲＮは、Ｕｎｓｔｒｕｃｔｕｒｅｄ  Ｓｕｐｐｌｅｍｅｎｔａｒｙ  Ｓｅｒｖｉｃｅ  Ｄａｔａ（ＵＳＳＤ）メッセージを用いる上記ＵＥ装置（３０２）に提供される、項目４に記載のＡＳノード（１１４−Ｎ）。
【００１７】
（項目７）
上記選択ＩＭＲＮを、後での使用のために、上記ＩＭＲＮのプールに開放した後に、該選択ＩＭＲＮを隔離する手段（１２４）をさらに備える、項目４〜６のいずれか一項に記載のＡＳノード（１１４−Ｎ）。
【００１８】
（項目８）
回路交換（ＣＳ）ネットワークおよびインターネットプロトコル（ＩＰ）マルチメディアサブシステム（ＩＭＳ）ネットワーク（１１２）を含むネットワーク環境（１００）において、ＳＩＰ呼を達成するためのユーザ機器（ＵＥ）装置（３０２）を用いて動作可能な方法であって、該呼は、ＳＩＰ  Ｕｎｉｆｏｒｍ  Ｒｅｓｏｕｒｃｅ  Ｉｎｄｉｃａｔｏｒ（ＵＲＩ）を有する被呼側に導かれ、該方法は、
該ＳＩＰ呼に関連する呼情報を、該ＩＭＳネットワーク（１１２）に配置されたアプリケーションサーバノード（ＡＳ）ノード（１１４−Ｎ）に提供することであって、該呼情報は呼参照番号を含む、ことと、
該呼参照番号が依然として有効であることを確証することであって、該確証することは、該ＡＳノード（１１４−Ｎ）から、動的に割り当てられたＩＰマルチメディアルーティング番号（ＩＭＲＮ）を受信することに応答し、該動的に割り当てられたＩＭＲＮが、ＩＭＲＮのプールから選択され、該呼情報にマッピングされている、ことと、
該呼参照番号が有効であることを確証することに応答して、該呼情報を用いる該被呼側に関して、ＳＩＰセッションを容易にするために、該動的ＩＭＲＮを該ＡＳノード（１１４−Ｎ）に提供することと
を包含する、方法。
【００１９】
（項目９）
上記呼情報は、Ｓｅｓｓｉｏｎ  Ｉｎｉｔｉａｔｉｏｎ  Ｐｒｏｔｏｃｏｌ（ＳＩＰ）メッセージを介して、上記ＡＳノード（１１４−Ｎ）に提供される、項目８に記載の方法。
【００２０】
（項目１０）
上記呼情報は、Ｕｎｓｔｒｕｃｔｕｒｅｄ  Ｓｕｐｐｌｅｍｅｎｔａｒｙ  Ｓｅｒｖｉｃｅ  Ｄａｔａ（ＵＳＳＤ）メッセージを介して、上記ＡＳノード（１１４−Ｎ）に提供される、項目９に記載の方法。
【００２１】
（項目１１）
交換回路（ＣＳ）ネットワークおよびインターネットプロトコル（ＩＰ）マルチメディアサブシステム（ＩＭＳ）ネットワーク（１１２）を含むネットワーク環境（１００）において、ＳＩＰ呼を達成するためのアプリケーションサーバ（ＡＳ）ノード（１１４−Ｎ）を用いて動作可能な方法であって、該呼は、ＳＩＰ  Ｕｎｉｆｏｒｍ  Ｒｅｓｏｕｒｃｅ  Ｉｎｄｉｃａｔｏｒ（ＵＲＩ）を有する被呼側に導かれており、該方法は、
ＩＰマルチメディアルーティング番号（ＩＭＲＮ）のプールを維持することであって、選択ＩＭＲＮは、回路交換ネットワークドメインにおいて発せられるＳＩＰ呼に関して、ユーザ機器（ＵＥ）装置（３０２）から受信される呼情報にマッピングされる、ことと、
該選択ＩＭＲＮを該ＵＥ装置（３０２）に提供することと、
該選択ＩＭＲＮが該ＡＳノード（１１４−Ｎ）に戻された場合に、該選択ＩＭＲＮが有効のままであることを確証した後、該呼情報に基づいて、該被呼側とのＳＩＰセッションを確立することと
を包含する、方法。
【００２２】
（項目１２）
上記選択ＩＭＲＮは、Ｓｅｓｓｉｏｎ  Ｉｎｉｔｉａｔｉｏｎ  Ｐｒｏｔｏｃｏｌ（ＳＩＰ）を用いる上記ＵＥ装置（３０２）に提供される、項目１１に記載の方法。
【００２３】
（項目１３）
上記選択ＩＭＲＮは、Ｕｎｓｔｒｕｃｔｕｒｅｄ  Ｓｕｐｐｌｅｍｅｎｔａｒｙ  Ｓｅｒｖｉｃｅ  Ｄａｔａ（ＵＳＳＤ）メッセージを用いる上記ＵＥ装置（３０２）に提供される、項目１２に記載の方法。
【００２４】
（項目１４）
上記選択ＩＭＲＮを、後の使用のために、上記ＩＭＲＮのプールに開放した後、該選択ＩＭＲＮを隔離することをさらに包含する、項目１１〜１３のいずれか一項に記載の方法。
【００２５】
（摘要）
一実施形態において、回路交換（ＣＳ）ネットワークとＩＰマルチメディアサブシステム（ＩＭＳ）ネットワーク（１１２）とを含んでいるネットワーク環境（１００）においてＳｅｓｓｉｏｎ  Ｉｎｉｔｉａｔｉｏｎ  Ｐｒｏｔｏｃｏｌ（ＳＩＰ）呼をルーティングするためのスキームが開示される。ＳＩＰ呼がＣＳネットワークドメインにおいてユーザ機器（ＵＥ）装置（３０２）によって発せられたとき、その呼に関連した呼情報が、ＩＭＳネットワーク（１１２）に配置されたアプリケーションサーバ（ＡＳ）ノード（１１４−Ｎ）に提供される。ＡＳノード（１１４−Ｎ）において、Ｅ．１６４番号のプールは、被呼側ＳＩＰ  ＵＲＩへとマッピングされているかそれ以外の態様で被呼側のＳＩＰ  ＵＲＩに関連しているＩＰマルチメディアルーティング番号（ＩＭＲＮ）として維持されている。ＡＳノード（１１４−Ｎ）は、ＵＥ装置（３０２）から受け取られた被呼側のＳＩＰ  ＵＲＩに関して選択ＩＭＲＮを動的に割り当て、それをＵＥ装置（３０２）に戻す。次いで、その動的に割り当てられたＩＭＲＮが、被呼側に対するＳＩＰ呼のルーティングに利用される。
【発明を実施するための最良の形態】
【００２６】
本特許開示の実施形態のさらなる完全な理解は、添付の図面と併せて考慮される場合、以下の詳細な記述を参照することによって、もたらされ得る。
【００２７】
ここで本特許開示のシステムおよび方法は、実施形態が最良になされ、および用いられ得る方法の様々な例を参照して記載される。類似する参照番号は、同様または対応する部分を示すために、記載およびいくつかの図面を通して用いられ、ここで様々な要素は必ずしも縮尺通りではない。ここで図面、特に図１を参照すると、例示的なネットワーク環境１００が示され、本特許開示の一実施形態は、回路交換ネットワークまたはドメインにおけるＵＥ装置によって発せられるＳＩＰ呼をルーティングするために実施され得る。示されるように、ネットワーク環境１００は、複数のＵＥ装置１０２−１〜１０２−Ｎに対して利用可能である複数のアクセス技術からなるアクセススペース１０４を含む。本開示の様々な目的のために、ＵＥ装置は、任意の限定の（ｔｅｔｈｅｒｅｄ）または非限定の（ｕｎｔｅｔｈｅｒｅｄ）通信装置であり得、ならびに、適切な無線モデムまたはモバイル通信装置（例えば、セル式電話、またはメッセージを受信および送信、ならびにウェブ閲覧をすることができるデータ通信可能なハンドヘルドなど）を備える任意のパーソナルコンピュータ（例えば、デスクトップ、ラップトップ、パームトップ、またはハンドヘルドコンピュータ装置）、あるいはｅメール、ビデオメール、インターネットアクセス、企業データアクセス、メッセージング、カレンダーおよびスケジューリング、情報管理などが可能である任意の改良型ＰＤＡ装置または一体型情報家電を含み得る。好適には、ＵＥ装置が、回路交換（ＣＳ）通信およびパケット交換（ＰＳ）通信の両方に携わることができ、継続が失われることなく、通信の一つのモードから別のモードへと移動することができるという点において、マルチモードにおいて動作可能である。
【００２８】
アクセススペース１０４は、ＣＳおよびＰＳネットワークの両方からなり得、無線技術、有線技術、ブロードバンドアクセス技術などを含み得る。例えば、参照番号１０６は、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）ネットワークおよび符号多重分割アクセス（ＣＤＭＡ）ネットワークなどの無線技術を意味するが、これらの教示は、第３世代パートナーシッププロジェクト（３ＧＰＰ）対応のセル式ネットワーク（例えば、３ＧＰＰまたは３ＧＰＰ２）に拡張され得る。参照番号１０８は、無線ローカルエリアネットワーク、すなわちＷＬＡＮ、Ｗｉ−ＭＡＸネットワーク、および、ＤＳＬ、ケーブルブロードバンドなどの固定ネットワークを含むブロードバンドアクセスネットワークを意味する。従来の有線ＰＳＴＮインフラストラクチャ１１０もまた、アクセススペース１０４の一部として例示される。
【００２９】
ＩＰマルチメディアサブシステム（ＩＭＳ）コアネットワーク１１２は、任意のＣＳベースのネットワークを含み、上述した様々なアクセスネットワークと結合される。周知のように、３ＧＰＰによって規定されるＩＭＳ規格は、サービスプロバイダが、任意のネットワークタイプ上において、ＩＰを介して伝送され得る様々なサービスを管理することができるように設計されており、ここで、ＩＰはベアラートラフィックとＳＩＰベースの信号伝達トラフィックとの両方をトランスポートするために用いられる。概して、ＩＭＳは、アプリケーション（すなわちサービス）およびネットワーク（すなわちアクセス）を管理するためのフレームワークであり、マルチメディアサービスを提供することが可能である。ＩＭＳは、「アプリケーションサーバ」を、例えば、ｖｏｉｃｅ  ｃａｌｌ  ｃｏｎｔｉｎｕｉｔｙ（ＶＣＣ）、プッシュツートーク（ＰＴＴ）などの、加入者が使用するサービスを伝送するネットワーク要素として規定する。ＩＭＳは、共通の制御構成要素を規定することによってアプリケーションを管理し、それぞれのアプリケーションサーバ（ＡＳ）は、例えば、加入者のプロフィール、ＩＭＳの移動性、ネットワークアクセス、認証、サービス認証、課金、請求書発行（ｂｉｌｌｉｎｇ）、オペレータ間機能、およびレガシー（ｌｅｇａｃｙ）電話ネットワークを用いる相互動作を有することが必要とされる。
【００３０】
ＩＭＳが、主にＧＳＭネットワークに取り組む３ＧＰＰ規格本体によって規定される一方で、別のグループである３ＧＰＰ２は、マルチメディアドメイン（ＭＭＤ）と呼ばれる、極めて類似したアーキテクチャを規定することに関連することは理解されるべきである。ＭＭＤは、基本的にはＣＤＭＡネットワークのためのＩＭＳである。なぜならば、ＭＭＤおよびＩＭＳは、概略的には同じであり、「ＩＭＳ」という用語は、本特許開示においては、適用可能である場合、ＩＭＳおよびＭＤＤの両方としてまとめて称するように用いられ得るからである。
【００３１】
続けて図１を参照すると、参照番号１１４−１〜１１４−Ｎは、上において示されたように、例えば、ＶＣＣ、ＰＴＴなどの様々なサービスをサポートするように動作可能である複数のＡＳノードを示す。さらに、呼の継続および適切なドメイン選択を実施するために、ＡＳノードのうちの一つ（例えばＡＳ１１４−（Ｎ−１））は、ｃａｌｌ  ｃｏｎｔｉｎｕｉｔｙ  ｃｏｎｔｒｏｌ  ｆｕｎｃｔｉｏｎ（ＣＣＣＦ）１１６およびネットワークドメイン選択（ＮｅＤＳ）１１８と称される機能性をインプリメントすることを提供され得る。基本的には、ＡＳ１１４−（Ｎ−１）のＣＣＣＦ部分１１６は、ＣＳドメインとＩＭＳドメインとの間における呼ハンドオーバー／ルーティングを含み、ホームＩＭＳネットワークに常駐し、かつ、全ての呼セッションおよび関連するモバイルＶｏｉｃｅ−ｏｖｅｒ−ＩＰ（ＶｏＩＰ）ベアラートラフィックを追跡する、新たなＩＭＳアプリケーションサーバ要素として動作可能である。ＡＳ１１４−（Ｎ−１）のＮｅＤＳ部１１８は、とりわけ、ＩＭＳネットワークとＣＳネットワーク（例えば、ＧＳＭまたはＣＤＭＡ）との間における登録／登録解除の管理の実行を担う。潜在的には別々の機能であるが、ＣＣＣＦおよびＮｅＤＳの両方の機能性を、図１に示されるような単一のＩＭＳ互換性のネットワーク要素ＡＳ１１４−（Ｎ−１）に統合することが可能である。ＡＳ１１４−（Ｎ−１）の機能性に関するさらなる詳細は、「ＳＹＳＴＥＭ  ＡＮＤ  ＭＥＴＨＯＤ  ＦＯＲ  ＭＡＮＡＧＩＮＧ  ＣＡＬＬ  ＲＯＵＴＩＮＧ  ＩＮ  Ａ  ＮＥＴＷＯＲＫ  ＥＮＶＩＲＯＮＭＥＮＴ  ＩＮＣＬＵＤＩＮＧ  ＩＭＳ」と題された、係属中の米国特許出願（（代理人管理番号１４００−１０５９ＵＳ：ＲＩＭ番号：３０６８３−ＵＳ−ＰＡＴ）、出願番号        、２００６年１月１０日出願）において見出され得、当該出願は、上述において参照されている。
【００３２】
さらに、ＣＳドメインにおけるＵＥ装置のうちの一つによって発せられたＩＰ／ＳＩＰ呼のルーティングを容易にし、他方で、ＰＳドメインにおける接続は利用可能でないか、または利用可能なＰＳネットワークがＶｏＩＰサービスをサポートすることができない（例えば帯域幅制限などのため）、コアＩＭＳネットワーク１１２の一部として、別のＡＳノード（ＡＳ１１４−Ｎ）が提供される。適切なデータベース構造（例えば、ＤＢ１２２）、タイマー機構（例えば、タイマー１２４）、および適切なロジック１２６は、以下でさらに詳細に記載されるように、選択ＩＰマルチメディアルーティング番号（ＩＭＲＮ）が、ＳＩＰ呼のルーティングのために動的に割り当てられ得るＩＭＲＮのプールを構成および管理するために、ＡＳ１１４−Ｎに関連して提供され得る。
【００３３】
本特許開示の教示に従い、ＡＳ１１４−Ｎは、好適には、以下のことを実行するための、適切なロジック／構造／ソフトウェア／ファームウェアモジュールを提供される：ＡＳノードにて終了するＩＭＲＮとして動作可能であるＥ．１６４番号のプールを維持することであって、ここで、選択ＩＭＲＮは、ＵＥ装置から受信された、被呼側のＳＩＰ  ＵＲＩにマッピングされ得ること；その選択ＩＭＲＮを、受信された、被呼側のＳＩＰ  ＵＲＩに動的に割り当てること、およびその選択ＩＭＲＮを発信側のＵＥ装置に提供すること；その選択ＩＭＲＮが、被呼側に関してＳＩＰ呼セッションを実施するために、ＡＳ１１４−Ｎに戻される（従来のＣＳ呼セットアップを介して）場合に、その選択ＩＭＲＮがタイムアウトしていないことを確認すること；および、必要に応じて、その選択ＩＭＲＮを、後での使用のために、ＩＭＲＮのプールに戻したのちに、一時期の間その選択ＩＭＲＮを隔離（ｑｕａｒａｎｔｉｎｅ）すること。
【００３４】
動的に割り当て可能なＩＭＲＮのプールを管理するために、ＡＳノード（例えば、ＡＳ１１４−Ｎ）は、Ｅ．１６４番号に関する多数の方法にて構成され得る。例えば、特定のＥ．１６４番号は、ＩＭＲＮ範囲の「開始アドレス」の番号として提供され得る。別のＥ．１６４番号は、ＩＭＲＮ範囲に関して、範囲デリミタとして動作し得る。柔軟性を許容するために、異なる番号の範囲から構成されるように、異なるプールのＩＭＲＮを提供することが所望され得る。さらに、適切なタイマー機構は、割り当てられたＩＭＲＮが有効のままであるか（例えば、ＩＭＲＮがタイムアウトしていない、すなわち、ＩＭＲＮが適切な制限時間内にて用いられている）、または適切な隔離時間が与えられたことを保証するために、ＡＳ１１４−Ｎにおいてインプリメントされ得る。以下で詳細に記載されるように、ＡＳ１１４−ＮにおけるＩＭＲＮに関連するタイマーおよび発信側のＵＥ装置における呼参照番号に関連するタイマーの管理は、ＣＳドメインにおいて動作するＵＥ装置によるＳＩＰ呼を達成するために用いられ得るＩＭＲＮの動的な提供を可能にする。
【００３５】
図２は、ＳＩＰ  ＵＲＩを有する被呼側に関連するＵＥ装置によってＣＳ由来のＳＩＰ呼を達成する本特許開示の方法全体の例示的な実施形態のフローチャートを示す。好適には、発信側は、適切なインターフェース（例えばＭＭＩ）を介してＵＲＩを入力するか、ＵＥ装置に保存されたリストからＵＲＩを選択するかのいずれかである。周知のように、通常のＳＩＰアドレスは、ｓｉｐ：＜ｕｓｅｒｎａｍｅ＞＠＜ｈｏｓｔｎａｍｅ＞の形式を取り得、それは、例えば、ＳＩＰ：  Ｓｅｓｓｉｏｎ  Ｉｎｉｔｉａｔｉｏｎ  Ｐｒｏｔｏｃｏｌと題されたＲＦＣ３２６１、および、Ｏｂｔａｉｎｉｎｇ  ａｎｄ  Ｕｓｉｎｇ  Ｇｌｏｂａｌｌｙ  Ｒｏｕｔａｂｌｅ  Ｕｓｅｒ  Ａｇｅｎｔ（ＵＡ）  ＵＲＩｓ（ＧＲＵＵ）  ｉｎ  ｔｈｅ  Ｓｅｓｓｉｏｎ  Ｉｎｉｔｉａｔｉｏｎ  Ｐｒｏｔｏｃｏｌ（ＳＩＰ）（ｄｒａｆｔ−ｉｅｔｆ−ｓｉｐ−ｇｒｕｕ−０６）（Ｅｘｐｉｒｅｓ：Ａｐｒｉｌ  ２３，２００６）などと題されたインターネットドラフトにおいて記載されるような、追加のシンタックス要素およびパラメータを含み得る。ブロック２０２において、例えば、呼に関連する呼参照番号、被呼側のＳＩＰ  ＵＲＩ（すなわち、Ｂ−ＵＲＩ）、Ｏｐａｑｕｅパラメータ（可能であれば）、ＧＲＩＤパラメータ（可能であれば）、追加のＵＲＩ関連情報（例えばディスプレイ名）、呼側のＳＩＰ  ＵＲＩ（すなわちＡ−ＵＲＩ）、Ｏｐａｑｕｅパラメータなどの、そのＳＩＰ呼に関連する情報の様々な部分（それらは以下で、「呼情報」と総称的に呼ばれ得る）は、例えば、ＡＳ１１４−ＮなどのＩＭＳネットワークノードへ、発信元のＵＥ装置によって提供される。すなわち、呼側が、Ａｄｒｅｓｓ  ｏｆ  Ｒｅｃｏｒｄ（ＡＯＲ）およびＯｐａｑｕｅおよびＧＲＩＤパラメータを含むＢ−ＵＲＩを送信する場合、それらは、呼情報の一部として提供される。さらに、呼側が、ＡＯＲ、ＯｐａｑｕｅおよびＧＲＩＤパラメータを含むそれ自体のＵＲＩを送信する場合、それらはまた、呼情報において提供される。
【００３６】
ＶＣＣの場合において、ＳＩＰ呼機能性を達成するように動作するＩＭＳノード（すなわちＡＳ１１４−Ｎ）はまた、ＣＣＣＦ／ＮｅＤＳ機能性をも含み得ることを、当業者は理解すべきである。したがって、一部の実施形態において、ＡＳ／ＣＣＣＦノードは、単一のＩＭＳネットワーク要素として取り扱われ得る。ＩＭＳ  ＡＳ／ＣＣＣＦノードのインプリメンテーションとは無関係に、タイマーは、上記のような発信側のＵＥ装置によって送信される呼情報の少なくとも一部をモニタリングするために用いられるＵＥ装置上において開始され得る。特に、タイマーは、特定の呼参照番号が生成されてＩＭＳネットワークノードに転送されるゆえに、その経過時間をモニタリングするためにインプリメントされ得る。ＩＭＳネットワークノードにおいて、ＩＭＲＮプールから選択されたＩＭＲＮは、呼参照番号に関して動的に関連しており、ここで、ＩＭＲＮは、例えば、受信された、被呼側のＳＩＰ  ＵＲＩなど、少なくとも呼情報の一部にマッピングされる（ブロック２０４）。一部の実施形態において、ＩＭＲＮは、受信されたＳＩＰ呼情報の全てにマッピングされ得る。また、タイマーは、動的に割り当てられたＩＭＲＮに関連した有効期間（ｔｉｍｅ−ｔｏ−ｌｉｖｅ）変数をモニタリングするために、ネットワークノードにおいて開始され得る。その後、動的に割り当てられたＩＭＲＮは、以下で記載されるように、適切なメッセージングを用いて、ＵＥ装置に提供される。ＵＥ装置において動的に割り当てられたＩＭＲＮを受信した後、呼参照番号に関連した経過時間は、それが古くないことを保証するためにモニタリングされる（ブロック２０６）。動的に割り当てられたＩＭＲＮは、その経過時間が選択条件を満たす、例えば、有効期間の値内である場合、そのＵＥ装置によって受け入れられる（ブロック２０８）。適切な呼セットアップが、次いで、動的ＩＭＲＮを用いてＵＥ装置によって開始され、それによって、その受け入れられたＩＭＲＮは、ＡＳノードにて終了するゆえに、ＡＳノードに戻される。ＡＳノードにおいてＩＭＲＮを受信した後、その有効期間変数は、それがタイムアウトしていないことを保証するためにモニタリングされる（ブロック２１０）。その後、被呼側のＳＩＰ  ＵＲＩ、および、動的に割り当てられたＩＭＲＮにマッピングされた、もともと受信されていた任意の他のＳＩＰ情報は、例えば、Ａ側ＵＲＩ、Ｏｐａｑｕｅパラメータなどを挿入するなど、ＳＩＰ  Ｉｎｖｉｔｅメッセージを用いて被呼側とのＳＩＰセッションを達成するためのＡＳノードによって利用される。一インプリメンテーションにおいて、動的ＩＭＲＮは、必要に応じて、ＩＭＲＮのプールに戻され得、ここで、動的ＩＭＲＮは後での使用のために再利用されるかまたは利用可能となる前に、所定の期間の間隔離され得る（ブロック２１２）。
【００３７】
前述に基づいて、当業者は、呼情報、すなわち被呼側のＳＩＰ  ＵＲＩ、呼参照番号などが、ＡＳ提供ノードへ、ＵＥ装置によって送信される場合、そのＡＳノードにおける適切なロジックが、受信された呼情報をＥ．１６４ベースＩＭＲＮにマッピングし、ＵＥ装置に送信される記録を生成し得ることを理解する。ＩＭＲＮと呼参照番号を相関させた後、ＵＥは、ＡＳノードにて終了するＩＭＲＮを用いて呼をセットアップする。そのＩＭＲＮは次いで、被呼側とＳＩＰセッションを確立するため、被呼側ＵＲＩを引き出すために、その記録に対して問い合わせられる。
【００３８】
ＵＥ装置とホームＩＭＳネットワークのＡＳノードとの間におけるメッセージフローが、複数の他の適切なネットワークインフラストラクチャ要素を介して仲介され得、かつ装置の性能ならびにネットワークの特性および使用されるプロトコルに依存する複数の方法においてインプリメントされ得ることは、当業者によってさらに理解されるべきである。通常、メッセージフローは、ＵＥ装置とＣＳ由来のＳＩＰ呼を容易にするように動作可能であるホームＩＭＳ  ＡＳノードとの間に配置された、移動通信交換局（ＭＳＣ）およびメディアゲートウェイ制御機能（ＭＧＣＦ）要素などのネットワーク要素を介して仲介され得る。以下で説明されるのは、メッセージフローの複数の例示的なインプリメンテーションであり、ここで、動的に割り当てられたＩＭＲＮは、ＣＳドメインにおいて発信されたＳＩＰ呼に関して、呼のルーティングのために利用される。
【００３９】
図３は、動的ＩＭＲＮ割り当てに基づくＣＥ由来のＳＩＰ呼を達成するためのメッセージフローの実施形態３００を示し、ここで、ＳＩＰメッセージングがインプリメントされる。ＣＳドメインおよびＩＭＳドメインモードの機能性を有する無線ＵＥ装置３０２は、ＳＩＰ呼がＣＳドメインにおいて開始されることを決定した後、ＡＳ３０８に対して、ＳＩＰ  Ｎｏｔｉｆｙメッセージ３２４を生成するように動作可能である。前述したように、ＳＩＰ  Ｎｏｔｉｆｙメッセージは、呼参照番号、被呼側のＳＩＰ  ＵＲＩ、および、例えば、Ａ側のＡＯＲ、Ｏｐａｑｕｅパラメータ、ＧＲＩＤパラメータなどの追加のＵＲＩ情報などの適用可能な呼情報を含む。適切なタイマー機構３２２は、呼参照番号に関連する有効期間変数をモニタリングするために、ＵＥ装置において開始され得る。ＳＩＰ  Ｎｏｔｉｆｙメッセージ３２４に応答して、ＡＳノード３０８は、ＵＥ装置３０２に対してＯＫメッセージ３２６を生成する。その後、好適には、ユーザがＳＩＰ呼を実行することを許可されたことを確証した後、ＡＳノードは、選択ＩＭＲＮを、受信された呼情報（例えば、被呼側のＳＩＰ  ＵＲＩ）を動的に割り当て、かつＳＩＰ  Ｎｏｔｉｆｙメッセージ３３０を介して、ＵＥ３０２に戻す。さらに、適切なタイマー機構は、動的に割り当てられたＩＭＲＮに関連した有効期間変数をモニタリングするために、ＡＳノード３０８において開始され得る（ブロック３２８）。ＯＫメッセージ３３４は、ＡＳノード３０８に対して、ＵＥ装置によって生成され、ＳＩＰ  Ｎｏｔｉｆｙメッセージ３３０の受信を承認する。ＵＥ装置のタイマー機構に基づいて呼参照番号がタイムアウトしていないことを確証した後（ブロック３３２）、動的ＩＭＲＮを含む呼セットアップメッセージ３３６は、ＵＥ装置３０２によって、ＭＳＣ３０４に対して提供される。それに応じて、動的ＩＭＲＮを有するＩｎｉｔｉａｌ  Ａｄｄｒｅｓｓ  Ｍｅｓｓａｇｅ（ＩＡＭ）メッセージ３３８は、呼のルーティングのために、ＭＧＣＦ３０６に対して、ＭＳＣ３０４によって生成される。ＳＩＰ  Ｉｎｖｉｔｅメッセージ３４０は、ＳＩＰ  Ｉｎｖｉｔｅメッセージ３４４を用いて、動的ＩＭＲＮ（その呼を被呼側へとルーティングするためにマッピングするＳＩＰ呼情報（図示されず））を利用するＡＳノード３０８に対して、ＭＧＣＦ３０６によって生成される。一つ以上の中間のＳＩＰメッセージおよび／またはリソース割り当ておよび指定（ｒｅｓｅｒｖａｔｉｏｎ）の交渉が、ＳＩＰ  Ｉｎｖｉｔｅ３４０の後にＭＧＣＦ３０６と被呼側との間において生じ得ることは認識されるべきであり、そのことについては、ここでは特に詳細には記載しない。また、ベアラーパスがＵＥ装置３０２と被呼側との間に確立される前に生じ得る追加的なＩＳＵＰメッセージングもまたここでは示されない。
【００４０】
ＡＳノード３０８において、ＳＩＰ  Ｉｎｖｉｔｅ３４０を介して、動的に割り当てられたＩＭＲＮを受信した後、タイマー機構は、ＩＭＲＮがタイムアウトしたかどうかを確証するために、停止され得る（ブロック３４２）。タイムアウトしている場合、ＳＩＰ  Ｉｎｖｉｔｅメッセージは捨てられ得、ＳＩＰの呼のルーティングプロセスは終了され得る。ＩＭＲＮがタイムアウトしていない場合、ＡＳノード３０８は、ＳＩＰ  Ｉｎｖｉｔｅメッセージ３４４を用いてそのＳＩＰセッションをセットアップし得、ここで、被呼側のＳＩＰ  ＵＲＩは、ＩＭＲＮを問い合わせること−ＵＲＩマッピングに基づいて決定される。さらに、発呼者ＩＤ（ＣＩＤ）がＳＩＰ  Ｎｏｔｉｆｙメッセージ３２４において受信されていない場合、ＡＳノード３０８は、ＳＩＰ  Ｉｎｖｉｔｅメッセージ３４０から（受信された場合）、適切なプライバシーオプションを用いてＣＩＤを挿入し得る。ＡＳ３０８によって、ＳＩＰセッションを確立するためにＩＭＲＮを用いた後、それはＩＭＲＮのプールへと戻され得、ここで、隔離期間タイマーが開始され得る（ブロック３４６）。それは、ＩＭＲＮが、隔離時間タイマーが所定の期間の後に停止されるまで（ブロック３４８）、さらなる使用を禁止されるというようにである。
【００４１】
以前に指摘したように、装置側におけるタイマー機構（例えば、ブロック３２２および３３２）はまた、呼参照番号がタイムアウトしていないということを確証するために用いられ得る。その参照番号はＵＥ装置によって用いられ、ＡＳノードから受信された情報と相関される（例えば動的ＩＭＲＮ）。そのタイマーが、同一の参照番号がＡＳノードから受信し戻される前に期限切れとなる場合、ＵＥ装置は、所定の回数（例えば５回の試み）にて、呼プロセスを再度、試み得、その後、応答が受信されない場合、その呼手続きは失敗したものとされ得る。すなわち、ＵＥ装置がもはや有効ではない参照番号を受信する場合、それは捨てられ得、その呼手続きは終了され得る。
【００４２】
図４Ａは、動的ＩＭＲＮ割り当てに基づいたＣＳ由来のＳＩＰ呼を達成するためのメッセージフローの実施形態４００Ａを示し、ここで、Ｕｎｓｔｒｕｃｔｕｒｅｄ  Ｓｕｐｐｌｅｍｅｎｔａｒｙ  Ｓｅｒｖｉｃｅ  Ｄａｔａ（ＵＳＳＤ）メッセージングがインプリメントされる。上記で説明したメッセージング手続きと同様に、無線ＵＥ装置３０２は、別のＵＳＳＤメッセージ４０６がＡＳノード３０８に転送され得ることに応答して、ＵＳＳＳＤメッセージ４０４をＭＳＣ３０４に対して生成するように動作可能である。これまでのように、ＵＳＳＤメッセージ４０４、４０６は、呼参照番号、被呼側のＳＩＰ  ＵＲＩ、さらなるＵＲＩ情報、Ａ側のＳＩＰ  ＵＲＩなど、適用可能な呼情報を含む。適切なタイマー機構４０２は、呼参照番号に関連する有効期間変数をモニタリングするために、ＵＥ装置において開始され得る。ＵＳＳＤメッセージ４０６に応じて、ＡＳノード３０８は、両方の承認、ならびに動的ＩＭＲＮおよび呼参照番号情報を含む、ＭＳＣ３０４に対するＵＳＳＤメッセージ４１０を生成する。このＵＳＳＤメッセージ４１０はＵＥ３０２に転送される。再び、適切なタイマー機構は、動的に割り当てられたＩＭＲＮに関連した有効期間変数をモニタリングするために、ＡＳノード３０８において開始され得る（ブロック４０８）。呼参照がＵＥ装置のタイマー機構に基づいてタイムアウトしていないことを確証した（ブロック４１４）後、動的ＩＭＲＮを含む呼セットアップメッセージ４１６は、ＭＳＣ３０４に対してＵＥ装置３０２によって提供される。それに応じて、動的ＩＭＲＮを有するＩＡＭメッセージ４１８は、ＳＩＰの呼のルーティングを達成するために、ＭＧＣＦ３０６に対して、ＭＳＣ３０４によって生成される。前述のメッセージングフローと同様に、ＳＩＰ  Ｉｎｖｉｔｅメッセージ４２０は、被呼側に対して呼をルーティングする（図示されず）ために、ＭＧＣＦ３０６によって、ＡＳノード３０８に対して生成される。ＡＳノード３０８において、ＳＩＰ  Ｉｎｖｉｔｅ４２０を介して、動的に割り当てられたＩＭＲＮを受信した後、タイマー機構は、ＩＭＲＮがタイムアウトであるかどうかをモニタリングするために、停止され得る（ブロック４２２）。その後、ＩＭＲＮがタイムアウトしていない場合、ＡＳノードは、ＵＳＳＤメッセージ４０６において受信される、Ｂ側ＳＩＰ  ＵＲＩ、Ｏｐａｑｕｅパラメータ、ＧＲＩＤパラメータ、Ａ側ＳＩＰ  ＵＲＩなどの呼情報を用いて、ＳＩＰセッションを、ＩＭＲＮに対して、ＳＩＰ  Ｉｎｖｉｔｅ３４４を介した正しい宛て先にセットアップし得る。さらに、ＩＭＲＮ開放および隔離などのプロセスは、上述されたプロセスと同様に、ＡＳノード３０８によって実施され得る。さらに、発呼者ＩＤ（ＣＩＤ）がＵＳＳＤメッセージ４０６において受信されていない場合、ＡＳノード３０８は、ＳＩＰ  Ｉｎｖｉｔｅメッセージ４２０から（受信された場合）、適切なプライバシーオプションを用いてＣＩＤを挿入し得る。適切なタイマー機構（ブロック４２４、４２６）は、従って、ＡＳノード３０８においてインプリメントされ得る。さらに、装置側におけるタイマー機構もまた、ＳＩＰ呼に関連する呼参照番号に関して同様に��いられ得る。
【００４３】
ＵＳＳＤメッセージフローの実施形態４００Ｂの別の変形は図４Ｂに示される。メッセージフローの実施形態４００Ｂは、上述された実施形態４００Ａと実質的に同一であるが、別々のＵＳＳＤ認証メッセージ４５０および４５６がＵＥ３０２とＡＳ３０８との間において伝搬される点は除く。したがって、追加のＵＳＳＤメッセージング４５４は、ＡＳ３０８からＵＥ３０２へのＩＭＲＮ情報を搬送するために提供される。
【００４４】
図５は、本特許開示の目的のために、例えばＵＥ３０２などの無線ＵＥ装置として動作可能である通信装置の一実施形態のブロック図を示す。ＵＥ３０２の一実施形態が図５において示されるものと同様な配置を備え得るけれども、記載される様々なモジュールに関して、ハードウェア、ソフトウェア、またはファームウェアにおける複数の変形および修正が存在し得ることは、ここでの参照において、当業者によって認識される。したがって、図５の配置は、本特許開示の実施形態に関して、限定のためではなく、例示のためであると考えられるべきである。ＵＥ３０２の実施形態の全体的な制御を提供するマイクロプロセッサ５０２は、マルチモード通信（例えば、ＣＳドメイン、ＩＭＳなどのＩＰドメイン）が可能である通信サブシステム５０４に動作可能なように結合される。通信サブシステム５０４は、概して、一つ以上の受信器５０８および一つ以上の送信器５１４、ならびに、一つ以上のローカル発振器（ＬＯ）モジュール５１０およびデジタル信号プロセッサ（ＤＳＰ）５１２などの処理モジュールなどの関連する構成要素を含む。通信分野における当業者に明らかであるように、通信モジュール５０４の特定の設計は、モバイル装置が動作することを意図されている通信ネットワーク（例えば、ＣＤＭＡネットワーク、ＧＳＭネットワーク、ＷＬＡＮなど）に依存し得る。しかしながら、特定の設計にかかわらず、適切なアクセスインフラストラクチャ５０５（例えば、セル式基地局のタワー、ＷＬＡＮのホットスポットなど）を介して、アンテナ５０６によって受信された信号は受信器５０８に提供される。その受信器は、信号増幅、周波数ダウンコンバージョン、フィルタリング、チャネル選択、アナログ−デジタル（Ａ／Ｄ）変換などの、通常の受信器機能を実行し得る。同様に、送信される信号は、変調およびエンコーディングを含む処理で、例えば、ＤＳＰ５１２によって処理され、ならびに、デジタル−アナログ（Ｄ／Ａ）変換、周波数アップコンバージョン、フィルタリング、増幅、および、アンテナ５１６を介し、電波送信媒体（ａｉｒ）−ラジオ（ｒａｄｉｏ）インターフェースを介した送信のために、送信器５１４に提供される。
【００４５】
マイクロプロセッサ５０２はまた、補助入力／出力（Ｉ／Ｏ）５１８、シリアルポート５２０、ディスプレイ５２２、キーボード／キーパッド５２４、スピーカ５２６、マイクロフォン５２８、ランダムアクセスメモリ（ＲＡＭ）５３０、狭域通信サブシステム５３２、および、概して参照番号５３３としてラベルされているタイマー機構などの、任意の他の装置サブシステムなどの、更なるデバイスサブシステムとインターフェースし得る。アクセスを制御するために、加入者識別モジュール（ＳＩＭ）またはリムーバブルユーザ識別モジュール（ＲＵＩＭ）インターフェース５３４もまた、マイクロプロセッサ５０２と通信するように提供され得る。一インプリメンテーションにおいて、ＳＩＭ／ＲＵＩＭインターフェース５３４は、複数のキー構成５４４ならびにＩＤおよび加入者関連データなどの他の情報５４６、ＳＩＰ  ＵＲＩリスト情報を有するＳＩＭ／ＲＵＩＭカードを用いて動作可能である。
【００４６】
オペレーティングシステムソフトウェアおよび適用可能なサービスロジックソフトウェアは、フラッシュメモリ５３５などの固定記憶装置モジュール（すなわち不揮発性記憶装置）において具体化され得る。一インプリメンテーションにおいて、フラッシュメモリ５３５は、例えば、コンピュータプログラム５３６（例えばサービス処理ロジック）のための記憶装置領域、ならびに、装置状態５３７、アドレスブック５３９、他の個人情報マネージャ（ＰＩＭ）データ５４１、および参照番号５４３として一般にラベルされる他のデータ記憶装置領域などのデータ記憶装置領域などの、異なる領域に分離され得る。トランスポートスタック５４５は、一つ以上の適切なラジオ−パケットトランスポートプロトコルを実施するために提供され得る。さらに、ＳＩＰ呼ロジックモジュール５４８は、上で説明されたように、呼参照ＩＤ生成、検証、確証、およびＩＭＲＮとの相関を実施するために提供される。
【００４７】
本特許開示の実施形態の動作および構成は上述にて説明された詳細な記載から明らかであると考えられる。示され、記載された例示的な実施形態が好適であるとして特徴付けられる一方で、様々な変更および修正が、添付の請求の範囲において説明される本特許開示の範囲から逸脱することなく、なされ得ることは容易に理解されるべきである。
【００４８】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【図面の簡単な説明】
【００４９】
【図１】回路交換ネットワークインフラストラクチャとＩＰマルチメディアサブシステム（ＩＭＳ）インフラストラクチャとを含むネットワーク環境を示し、ここで、本特許開示の一実施形態が実施され得る。
【図２】本特許開示の例示的な実施形態のフローチャートを示す。
【図３】一実施形態に従い、動的に割り当てられたＩＰマルチメディアルーティング番号（ＩＭＲＮ）を用いることによって、ＳＩＰ呼を達成するメッセージフロー図を示す。
【図４Ａ】さらなる実施形態に従い、動的に割り当てられたＩＭＲＮを用いることによって、ＳＩＰ呼を達成するメッセージフロー図を示す。
【図４Ｂ】さらなる実施形態に従い、動的に割り当てられたＩＭＲＮを用いることによって、ＳＩＰ呼を達成するメッセージフロー図を示す。
【図５】本特許開示の目的のために動作可能である通信装置の一実施形態のブロック図を示す。
【符号の説明】
【００５０】
１００  ネットワーク環境
１０２  ユーザ機器
１０４  アクセススペース
１１２  ＩＭＳコアネットワーク
１１４  ＡＳノード
１２０  ネットワークノード
１２２  データベース
１２４  タイマー
１２６  動的ＩＭＲＮ割り当ておよび確認ロジック
【図１】
0004805176.tif 000002
【図２】
0004805176.tif 000003
【図３】
0004805176.tif 000004
【図４Ａ】
0004805176.tif 000005
【図４Ｂ】
0004805176.tif 000006
【図５】
0004805176.tif 000007